(57)【要約】【課題】不使用時に狭い場所に並べて収納することができ、再使用のときに容易に使用できる状態となる作業台またはワゴンを提供する。【解決手段】台板と、これを支持する支持台とからなる作業台またはワゴンにおいて、支持台を入れ子として重ねて置ける構造にするとともに、台板の一端を支持台に軸着して台板の他端を支持台から持ち上げ可能にする。【選択図】図２
2015051155.tif 000002
【特許請求の範囲】
【請求項１】
台板と、これを支持する支持台とからなる作業台またはワゴンにおいて、支持台を入れ子として重ねて置ける構造とし、台板の端を支持台から持ち上げ可能に軸着したことを特徴とする作業台またはワゴン。
【請求項２】
前記支持台は、一側面に開口を備え、開口から対向する側面に向かって両側面が外形、内形とともに先細となる形状に構成されて、入れ子として重ねて置けるようにされていることを特徴とする、請求項１に記載の作業台またはワゴン。
【請求項３】
前記支持台は、奥ほど幅が狭くなるコの字状の平面枠を２個水平に上下に間隔をおいて並べ、平面枠同士を支柱により固定することにより構成されて入れ子として重ねて置けるようにされていることを特徴とする、請求項１又は２に記載の作業台またはワゴン。
【請求項４】
前記軸着が、台板の下面両側に台板の縁辺と平行に内側へ突出して付設された一組の円筒小片と、支持台の開口上端の外側に開口上端と平行に付設された円筒小片との結合によりなされていることを特徴とする、請求項１−３の何れか１つの項に記載の作業台またはワゴン。
【請求項５】
支持台の下方にキャスターを付設して移動を容易にしたことを特徴とする、請求項１−４の何れか１つの項に記載の作業台またはワゴン。
【請求項６】
台板の持ち上げ可能がわの下面にロールを付設して台板のすべりをよくしたことを特徴とする、請求項１−５の何れか１つの項に記載の作業台またはワゴン。
【請求項７】
請求項１−６の何れか１つの項に記載の作業台またはワゴンの台板の端を持ち上げて、別の同じ作業台またはワゴンの台板の上に重ね、支持台を入れ子にして作業台またはワゴンを収納することを特徴とする、作業台またはワゴンの収納方法。
【発明の詳細な説明】
【技術分野】
【０００１】
この発明は作業台またはワゴンに関するものである。とくに、この発明は、工場などで物品を載せて物品に必要な加工などを施すための作業台、または物品を運搬するためのワゴンに関するものである。
【背景技術】
【０００２】
一般に、作業台及びワゴンは物品を載せるための台板と、台板を支える支持台とで構成される。
作業台及びワゴンの中には台板が支持台上に単に載っているだけで、台板を支持台から簡単に外すことのできるものもあるが、多くは台板が支持台に固定されている。また、ワゴンでは台板を傾斜させるものがないが、作業台の中には、台板を支持台上で傾斜させることのできるものもある。それは、台板上に載せた物品を検査したり、物品に加工を施したりするために傾斜させるようにしたもので、その傾斜は作業台に取り付けた特別の傾斜装置によって行われることが多い。また、ワゴンでは支持台の下方に必ずキャスターが付設されるが、作業台でも移動の便宜のために、支持台の下方にキャスターが付設されることが多い。
【０００３】
作業台及びワゴンは、これが使用されないときは、工場の片隅などに並べて置かれる。このとき、台板が支持台に固定されている作業台及びワゴンは、上部に台板が水平に延びて広がっているため、大きな面積を占める。占める面積を小さくするためには、作業台及びワゴンを上に積み重ねる以外に方法がない。しかし、積み重ねるには大きな労力を要し、また逆に降ろすにも大きな労力を要する。そのため、不使用時の作業台及びワゴンを狭い場所に効率よく収納できるようにすることが必要とされた。
【発明の概要】
【発明が解決しようとする課題】
【０００４】
この発明は、上述の必要に応じようとして生れたものである。すなわち、この発明は、不使用時に狭い場所に並べて収納することができ、再使用のときには容易に使用できる状態となる作業台またはワゴンを提供しようとしてなされたものである。
【課題を解決するための手段】
【０００５】
この発明者は、作業台またはワゴンのうちの支持台の部分を入れ子式に重ねて置けるようにするとともに、支持台上に固定されている台板を軸着して、台板を支持台から持ち上げ可能にすると、作業台及びワゴンを入れ子式に配置できることを見出した。そして、作業台及びワゴンを入れ子式に配置することによって、狭い場所に多数の作業台及びワゴンを収納できることを見出した。この発明は、このような知見に基づいて完成されたものである。
【０００６】
この発明は、台板と、これを支持する支持台とからなる作業台またはワゴンにおいて、支持台を入れ子として重ねて置ける構造とし、台板の端を支持台から持ち上げ可能に軸着したことを特徴とする、作業台またはワゴンを提供するものである。
また、この発明は他面において、上記作業台またはワゴンの台板の端を持ち上げて、別の同じ作業台またはワゴンの台板の上に重ね、支持台を入れ子にして、作業台またはワゴンを収納することを特徴とする、作業台またはワゴンの収納方法を提供するものである。
【発明の効果】
【０００７】
この発明では、台板と、これを支持する支持台とからなる作業台またはワゴンにおいて、支持台を入れ子として重ねて置ける構造にするとともに、台板の端を支持台から持ち上げ可能に軸着したので、作業台またはワゴンとして使用するときは、台板を支持台上に水平においた状態にして、作業台またはワゴンとして使用することができる。
ところが、作業台またはワゴンとして使用しないで収納しようとするときは、台板の端を手で持ち上げると、支持台を入れ子として重ねて置ける状態とすることができるので、狭い場所に作業台またはワゴンを重ねて保管することができる。従って、作業場を有効に使用することができる。
【０００８】
さらに収納した作業台またはワゴンを再び使用しようとするときは、収納した作業台またはワゴンを引き出すだけで、作業台またはワゴンとして再使用できることになるから便利である。この発明は、このような利益をもたらすものである。
【図面の簡単な説明】
【０００９】
【図１】図１は、この発明で用いられる支持台の基本構造を示した斜視図である。
【図２】図２は、この発明に係る作業台の斜視図である。
【図３】図３は、台板を支持台に軸着する関係を示した説明図である。
【図４】図４は、図２に示した作業台の収納状態を示した斜視図である。
【図５】図５は、平面枠と支柱との固定関係を示した説明図である。
【発明を実施するための形態】
【００１０】
この発明では、台板とこれを支持する支持台とからなる作業台またはワゴンにおいて、支持台の部分を入れ子として重ね置くことができる構造にすることが必要である。この構造にするには、色々の仕組みが考えられるが、基本的には図１に示すように、奥ほど幅が狭くなるコの字状の平面枠１１に、枠１１の平面から垂直に互いに平行に延びる３本又は４本の支柱１３、１４を固定して、一側面に開口を設け、開口から対向する側面に向かって、両側面が外形、内形とともに先細となった形状に構成することである。
【００１１】
ただ図１に示した構造では、支柱１３、１４の下端がグラつき易いので、補強策を講じる必要がある。
この発明では、台板の端を支持台から持ち上げ可能にするために台板を支持台に軸着することが必要である。この軸着は、基本的には図１に示すように、コの字状平面枠１１の開口の上端外側に回転軸Ｘを設けるか、又は開口と向き合う奥片の外側に回転軸Ｙを設け、回転軸Ｘ又はＹにより台板の下面を支持台に接続することとする。
【００１２】
この発明を実施の一例について、図面に基づき説明すると次のとおりである。
図２に示した作業台は台板２とこれを支持する支持台１とで構成されている。そのうちの支持台１は、コの字状平面枠１１と１２とを上下方向に間隔をおいて水平に配置し、その間を支柱１３と１４とが固定して構成されている。コの字状平面枠１１と１２とは、同形同大で開口を同じ方向に向けて位置し、何れもコの字の開口から奥へ進むに従って幅が次第に狭くなっている。従って、支持台１は矢印Ａ方向から見ると、外形も内形も次第に先細となっている。
【００１３】
支持台１は内形も外形も先細となっているから、支持台だけが単独で存在するときは、１つの支持台の中にもう１つの支持台を入れ子にすることができる。従って、支持台１は、入れ子式に重ねて置ける構造になっている。そして、図２に示した支持台は、図１に示した支持台の下方に平面枠１２を追加したものに相当している。
なお、図２の平面枠１１と１２には、内部に補強片１１３を付設しているが、この補強片１１３は平面枠がコの字の形状を確実に保持するためのものである。補強片１１３は、コの字状平面枠１１の両側片上で奥片１１２寄りの位置に設けることが好ましい。
【００１４】
この発明では、台板２の端を持ち上げ可能にするために、台板２を支持台１に軸着する。図２では、この軸着が符号３によって示されている。その軸着は具体的には図３に示したように行われる。
図３では、台板２には下面両側に、台板の縁辺と平行に内側へ突出する一組の円筒小片３２が、Ｌ型片３３を介して付設されている。他方、支持台１には平面枠１１が支柱１４を通している短管１１１の外側に水平方向に延びる円筒小片３１が付設されている。云いかえると、支持台１には開口上端の外側に開口上端と平行に延びる円筒小片３１が付設されている。この円筒小片３１を円筒小片３２の中へ挿入して台板２は支持台１に軸着される。この軸着は円筒小片３１を円筒小片３２の中へ挿入したあとで円筒小片３２を台板２に固定して行われる。
【００１５】
そのほか、軸着は、円筒小片３１と円筒小片３２とを同径の円筒で作り、円筒小片同士を突き合わせにして、各円筒小片内に共通の心棒を差し込んで行うこともできる。心棒は円筒小片内に隙間なく嵌まるものを用いることが好ましい。この方法によるときは、軸着を外したり嵌めたりすることが自在にできる。
図２に示した作業台は、これを作業台として使用するときは、台板２を支持台１の上で水平に延びている状態にして、普通の作業台と全く同じように使用する。この作業台を使用しないで収納しようとするときは、台板２の端を手で持ち上げて、別の作業台に近づける。すると、持ち上げた台板は別の作業台の台板の上に乗せて重ねることができるので、作業台の支持台を別の作業台の支持台の中へ入れ子として収容することができる。こうして、図４に示したように支持台全体を入れ子の状態に重ねて置くことができる。これによって狭い場所に多数の作業台を収容することができる。
【００１６】
なお、図４において、台板２の下面にロール２１を付設しているが、これは上に乗る台板が下の台板上をすべり易くするためである。
図２に示した作業台は、上述のように入れ子として収納することができるほかに、支持台１が組立式とされて、組立てと分解が容易であり、さらに高さを調節することができる、という特色を持っている。この点を説明すると次のとおりである。
【００１７】
まず、支持台１には、支柱１３及び１４を通すための短管１１１が固定されている。詳しく云えば、平面枠１１と１２の奥片１１２の外側に、上下方向に貫通する内腔を持った短管１１１が溶接によって固定され、下方に突出している。また、平面枠１１と１２の開口端の外側にも、上下方向に関するする内腔を持った短管１１１が溶接によって固定されて、下方に突出している。短管１１１の内面には、図５に示したように端から中央部に向かって次第に内径が狭くなるテーパーが付されている。
【００１８】
他方、支柱１３、１４の外面には一様な間隔をおいて、多数の環状溝１３１が形成されている。支柱１３、１４の外面には図５に示すように、合成樹脂製の円管を２つ割にした介在物１６が当接されて短管１１１内への挿入部を形成することとされる。
介在物１６の内面には図５に示すように円環状の突条１６１が形成されているので、この突条１６１が支柱１３、１４の環状溝１３１に嵌まり、介在物１６は支柱表面に固定される。介在物１６の外面にはテーパーが付されている。また、介在物１６の分割面には一方に凸部１６２が付設され、他方に凹部１６３が付設されて、嵌め合わせを容易にしている。
【００１９】
こうして、支柱１３、１４の適当な位置にある溝１３１に介在物１６の突条１６１を嵌め込んで支柱に介在物を固定した状態にして、これを平面枠１１、１２に固定された短管１１１内に差し込む。すると、介在物１６の外面テーパーと短管１１１の内面テーパーとの密接によって支柱１３、１４は支持枠１１、１２に確実に固定される。
こうして組み立てた支持台は、差し込みによって組み立てられているから、差し込みを引き抜くことにより、分解することができる。従って、この作業台は組み立てと分解が容易である。また、支柱１３、１４に介在物１６を固定する位置を変えることにより、支持台の高さを変えることができる。この発明に係る作業台はこのような特色を持っている。
【符号の説明】
【００２０】
１                             支持台
２                             台板
３                             軸着
４                             キャスター
１１、１２                     平面枠
１３、１４                     支柱
１６                           介在物
２１                           ロール
３１、３２                     円筒小片
１１１                         短管
１１２                         奥片
１１３                         補強片
１３１                         溝
１６１                         突条
１６２                         凸部
１６３                         凹部
【図１】
2015051155.tif 000003
【図２】
2015051155.tif 000004
【図３】
2015051155.tif 000005
【図４】
2015051155.tif 000006
【図５】
2015051155.tif 000007